(57)【要約】  【課題】  コレクターに関する組付け作業は必ずしも容易ではない。  【解決手段】  左側ダンプリンクアーム部材６１０Ｌおよび右側ダンプリンクアーム部材６１０Ｒは、コレクター７００のコレクター底フレーム７２０へ、車体１００の左右方向に関して、外側から取付けられており、左側ダンプリンクアーム部材６１０Ｌはコレクター底フレーム７２０の左側面部分７２２Ｌへ取付けられており、右側ダンプリンクアーム部材６１０Ｒはコレクター底フレーム７２０の右側面部分７２２Ｒへ取付けられており、左側ダンプシリンダー部材５１０Ｌの後端部は左側ダンプリンクアーム部材６１０Ｌの左側へ取付けられており、右側ダンプシリンダー部材５１０Ｒの後端部は右側ダンプリンクアーム部材６１０Ｒの右側へ取付けられている乗用草刈り機である。【選択図】  図７
2019097450.tif 000002
【特許請求の範囲】
【請求項１】
刈取られた草を内部へ収容するコレクター本体を有するコレクターと、
前記コレクターをコレクター昇降リンク機構へダンプ操作可能に取付けるコレクターダンプリンク機構と、
前記コレクターのダンプ操作を行うコレクターダンプ機構と、
を備え、
前記コレクターダンプリンク機構は、後端部が前記コレクター昇降リンク機構へ回動可能に取付けられている左側ダンプリンクアーム部材と、後端部が前記コレクター昇降リンク機構へ回動可能に取付けられている右側ダンプリンクアーム部材と、を有し、
前記コレクターダンプ機構は、前端部が前記コレクター昇降リンク機構へ取付けられている左側ダンプシリンダー部材と、前端部が前記コレクター昇降リンク機構へ取付けられている右側ダンプシリンダー部材と、を有し、
前記左側ダンプリンクアーム部材および前記右側ダンプリンクアーム部材は、前記コレクターのコレクター底フレームへ、車体の左右方向に関して、外側から取付けられており、
前記左側ダンプリンクアーム部材は前記コレクター底フレームの左側面部分へ取付けられており、前記右側ダンプリンクアーム部材は前記コレクター底フレームの右側面部分へ取付けられており、
前記左側ダンプシリンダー部材の後端部は前記左側ダンプリンクアーム部材の左側へ取付けられており、前記右側ダンプシリンダー部材の後端部は前記右側ダンプリンクアーム部材の右側へ取付けられていることを特徴とする乗用草刈り機。
【請求項２】
前記左側ダンプリンクアーム部材には、前記ダンプ操作が行われていない場合における前記左側ダンプシリンダー部材との干渉を防止するための干渉防止切欠きが設けられており、
前記右側ダンプリンクアーム部材には、前記ダンプ操作が行われていない場合における前記右側ダンプシリンダー部材との干渉を防止するための干渉防止切欠きが設けられていることを特徴とする請求項１に記載の乗用草刈り機。
【請求項３】
前記コレクター昇降リンク機構は、
前記左側ダンプリンクアーム部材の前記後端部、および前記右側ダンプリンクアーム部材の前記後端部が回動可能に取付けられているリンクフレームと、
左側アッパーリンクアーム部材および左側ロウワーリンクアーム部材、ならびに右側アッパーリンクアーム部材および右側ロウワーリンクアーム部材と、
前記左側アッパーリンクアーム部材の後端部、および前記左側ロウワーリンクアーム部材の後端部を前記リンクフレームの左端部へ取付ける左側リンクフレーム支点部材と、
前記右側アッパーリンクアーム部材の後端部、および前記右側ロウワーリンクアーム部材の後端部を前記リンクフレームの右端部へ取付ける右側リンクフレーム支点部材と、
を有し、
前記左側リンクフレーム支点部材の断面形状はＵ字形状であり、前記左側リンクフレーム支点部材の端部には前記Ｕ字形状の変形を防止するための左側変形防止プレートが取付けられており、
前記右側リンクフレーム支点部材の断面形状はＵ字形状であり、前記右側リンクフレーム支点部材の端部には前記Ｕ字形状の変形を防止するための右側変形防止プレートが取付けられていることを特徴とする請求項１または２に記載の乗用草刈り機。
【請求項４】
前記コレクター昇降リンク機構のリンクフレームには当接部材が取付けられており、前記車体の支持台には受け部材が取付けられており、
前記コレクターが昇降操作における最下位置にあるとき、前記当接部材の当接面が前記受け部材の受け面へ当接するように、前記当接部材および前記受け部材は配置されており、
前記リンクフレームには、前記ダンプ操作を行うための油圧ホースを配索する複数のガイド部材が取付けられており、
前記ガイド部材は、前記当接部材の少なくとも両側に配置されていることを特徴とする請求項１または２に記載の乗用草刈り機。
【発明の詳細な説明】
【技術分野】
【０００１】
本発明は、たとえば、草刈り作業を行うための乗用草刈り機に関する。
【背景技術】
【０００２】
刈取られた草を内部へ収容するコレクター本体を有するコレクターと、コレクターをコレクター昇降リンク機構へダンプ操作可能に取付けるコレクターダンプリンク機構と、コレクターのダンプ操作を行うコレクターダンプ機構と、を備えた乗用草刈り機が、知られている（たとえば、特許文献１参照）。
【０００３】
コレクターダンプリンク機構は、後端部がコレクター昇降リンク機構へ回動可能に取付けられている左側ダンプリンクアーム部材と、後端部がコレクター昇降リンク機構へ回動可能に取付けられている右側ダンプリンクアーム部材と、を有する。
【０００４】
コレクターダンプ機構は、前端部がコレクター昇降リンク機構へ取付けられている左側ダンプシリンダー部材と、前端部がコレクター昇降リンク機構へ取付けられている右側ダンプシリンダー部材と、を有する。
【先行技術文献】
【特許文献】
【０００５】
【特許文献１】特開２０１６−１１９９１６号公報
【発明の概要】
【発明が解決しようとする課題】
【０００６】
しかしながら、従来の乗用草刈り機については、コレクターに関する組付け作業は必ずしも容易ではない。
【０００７】
本発明は、上述された従来の課題を考慮し、コレクターに関する組付け作業を容易化することができる乗用草刈り機を提供することを目的とする。
【課題を解決するための手段】
【０００８】
第１の本発明は、刈取られた草を内部へ収容するコレクター本体を有するコレクターと、
前記コレクターをコレクター昇降リンク機構へダンプ操作可能に取付けるコレクターダンプリンク機構と、
前記コレクターのダンプ操作を行うコレクターダンプ機構と、
を備え、
前記コレクターダンプリンク機構は、後端部が前記コレクター昇降リンク機構へ回動可能に取付けられている左側ダンプリンクアーム部材と、後端部が前記コレクター昇降リンク機構へ回動可能に取付けられている右側ダンプリンクアーム部材と、を有し、
前記コレクターダンプ機構は、前端部が前記コレクター昇降リンク機構へ取付けられている左側ダンプシリンダー部材と、前端部が前記コレクター昇降リンク機構へ取付けられている右側ダンプシリンダー部材と、を有し、
前記左側ダンプリンクアーム部材および前記右側ダンプリンクアーム部材は、前記コレクターのコレクター底フレームへ、車体の左右方向に関して、外側から取付けられており、
前記左側ダンプリンクアーム部材は前記コレクター底フレームの左側面部分へ取付けられており、前記右側ダンプリンクアーム部材は前記コレクター底フレームの右側面部分へ取付けられており、
前記左側ダンプシリンダー部材の後端部は前記左側ダンプリンクアーム部材の左側へ取付けられており、前記右側ダンプシリンダー部材の後端部は前記右側ダンプリンクアーム部材の右側へ取付けられていることを特徴とする乗用草刈り機である。
【０００９】
これにより、左側ダンプリンクアーム部材および右側ダンプリンクアーム部材は、コレクターのコレクター底フレームへ、車体の左右方向に関して、外側から取付けられているので、コレクターに関する組付け作業を容易化することができる。
【００１０】
第２の本発明は、前記左側ダンプリンクアーム部材には、前記ダンプ操作が行われていない場合における前記左側ダンプシリンダー部材との干渉を防止するための干渉防止切欠きが設けられており、
前記右側ダンプリンクアーム部材には、前記ダンプ操作が行われていない場合における前記右側ダンプシリンダー部材との干渉を防止するための干渉防止切欠きが設けられていることを特徴とする第１の本発明の乗用草刈り機である。
【００１１】
これにより、左側ダンプシリンダー部材との干渉を防止するための干渉防止切欠きが設けられており、右側ダンプシリンダー部材との干渉を防止するための干渉防止切欠きが設けられているので、コンパクトなコレクター収納姿勢を実現することができる。
【００１２】
第３の本発明は、前記コレクター昇降リンク機構は、
前記左側ダンプリンクアーム部材の前記後端部、および前記右側ダンプリンクアーム部材の前記後端部が回動可能に取付けられているリンクフレームと、
左側アッパーリンクアーム部材および左側ロウワーリンクアーム部材、ならびに右側アッパーリンクアーム部材および右側ロウワーリンクアーム部材と、
前記左側アッパーリンクアーム部材の後端部、および前記左側ロウワーリンクアーム部材の後端部を前記リンクフレームの左端部へ取付ける左側リンクフレーム支点部材と、
前記右側アッパーリンクアーム部材の後端部、および前記右側ロウワーリンクアーム部材の後端部を前記リンクフレームの右端部へ取付ける右側リンクフレーム支点部材と、
を有し、
前記左側リンクフレーム支点部材の断面形状はＵ字形状であり、前記左側リンクフレーム支点部材の端部には前記Ｕ字形状の変形を防止するための左側変形防止プレートが取付けられており、
前記右側リンクフレーム支点部材の断面形状はＵ字形状であり、前記右側リンクフレーム支点部材の端部には前記Ｕ字形状の変形を防止するための右側変形防止プレートが取付けられていることを特徴とする第１または第２の本発明の乗用草刈り機である。
【００１３】
これにより、左側変形防止プレートが取付けられており、右側変形防止プレートが取付けられているので、左側リンクフレーム支点部材および右側リンクフレーム支点部材に関する組付け作業を容易化することができる。
【００１４】
第４の本発明は、前記コレクター昇降リンク機構のリンクフレームには当接部材が取付けられており、前記車体の支持台には受け部材が取付けられており、
前記コレクターが昇降操作における最下位置にあるとき、前記当接部材の当接面が前記受け部材の受け面へ当接するように、前記当接部材および前記受け部材は配置されており、
前記リンクフレームには、前記ダンプ操作を行うための油圧ホースを配索する複数のガイド部材が取付けられており、
前記ガイド部材は、前記当接部材の少なくとも両側に配置されていることを特徴とする第１または第２の本発明の乗用草刈り機である。
【００１５】
これにより、ガイド部材は、当接部材の少なくとも両側に配置されているので、油圧ホースに関する組付け作業を容易化することができる。
【発明の効果】
【００１６】
本発明により、コレクターに関する組付け作業を容易化することが可能な乗用草刈り機を提供することができる。
【図面の簡単な説明】
【００１７】
【図１】本発明における実施の形態の乗用草刈り機の模式的な左側面図
【図２】本発明における実施の形態の乗用草刈り機の斜視図
【図３】本発明における実施の形態の乗用草刈り機のコレクター昇降リンク機構およびコレクターダンプリンク機構近傍の部分斜視図
【図４】本発明における実施の形態の乗用草刈り機のコレクター底フレーム近傍の部分斜視図
【図５】本発明における実施の形態の乗用草刈り機の支持台近傍の部分斜視図
【図６】本発明における実施の形態の乗用草刈り機のコレクター近傍の部分斜視図（その一）
【図７】本発明における実施の形態の乗用草刈り機の干渉防止切欠き近傍の拡大部分斜視図
【図８】本発明における実施の形態の乗用草刈り機のコレクター近傍の部分斜視図（その二）
【図９】本発明における実施の形態の乗用草刈り機の左側リンクフレーム受け部材近傍の拡大部分斜視図
【図１０】本発明における実施の形態の乗用草刈り機のコレクター近傍の部分斜視図（その三）
【図１１】本発明における実施の形態の乗用草刈り機のコレクター近傍の部分斜視図（その四）
【図１２】本発明における実施の形態の乗用草刈り機の左側ダンプリンク支点部材近傍の拡大部分斜視図（その一）
【図１３】本発明における実施の形態の乗用草刈り機の左側ダンプリンク支点部材近傍の拡大部分斜視図（その二）
【図１４】本発明における実施の形態の乗用草刈り機のリンクフレーム近傍の部分斜視図（その一）
【図１５】本発明における実施の形態の乗用草刈り機の左側変形防止プレート近傍の拡大部分斜視図
【図１６】本発明における実施の形態の乗用草刈り機のリンクフレーム近傍の部分斜視図（その二）
【図１７】本発明における実施の形態の乗用草刈り機のリンクフレーム近傍の部分斜視図（その三）
【図１８】本発明における実施の形態の乗用草刈り機のガイド部材近傍の拡大部分斜視図
【図１９】本発明における実施の形態の乗用草刈り機の右側支柱部材近傍の部分斜視図
【発明を実施するための形態】
【００１８】
以下、図面を参照しながら、本発明における実施の形態について詳細に説明する。
【００１９】
はじめに、図１および２を参照しながら、本実施の形態の乗用草刈り機の構成および動作について具体的に説明する。
【００２０】
ここに、図１は本発明における実施の形態の乗用草刈り機の模式的な左側面図であり、図２は本発明における実施の形態の乗用草刈り機の斜視図である。
【００２１】
図１においては、コレクター７００が昇降操作およびダンプ操作における最上位置にある状態が二点鎖線で示されている。
【００２２】
以下同様であるが、いくつかの構成要素は図面において示されていないこともあるし省略的に示されていることもある。たとえば、図２においては、車体１００などの構成がより理解しやすくなるように、モアー６０およびコレクター昇降機構３００は示されていない。
【００２３】
本実施の形態の乗用草刈り機は、モアー６０と、ブロワー５０と、コレクター７００と、を備える。モアー６０は、モアーデッキ６１を有する、草を刈取るためのユニットである。ブロワー５０は、刈取られた草を吸引するためのユニットである。コレクター７００は、吸引された草を収容するためのユニットである。
【００２４】
左側前輪３１Ｌおよび右側前輪３１Ｒ、ならびに左側後輪３２Ｌおよび右側後輪３２Ｒにより支持された車体１００の前部には、作業者が運転を行うための操縦部４０が設けられている。操縦部４０には、作業者が操縦を行うためのステアリングハンドル４１が設けられている。操縦部４０には、作業者が操縦を行うときに座るシート４２、およびシートベルト４３なども設けられている。
【００２５】
モアー６０は、刈取られた草を搬送するための刈り草搬送シュート５１によりブロワー５０と連通されている。ブロワー５０により搬送されてくる草は、シューター５２を通ってコレクター７００へ排出される。
【００２６】
エンジン２０により発生された動力は、左側後輪３２Ｌおよび右側後輪３２Ｒのアクスルケースの上側に配置されたＨＳＴ（Ｈｙｄｒｏ  Ｓｔａｔｉｃ  Ｔｒａｎｓｍｉｓｓｉｏｎ）を介して左側後輪３２Ｌおよび右側後輪３２Ｒへ伝達され、ボンネット１３内のエンジン２０とブロワー５０との間に配置されたＰＴＯ（Ｐｏｗｅｒ  Ｔａｋｅ  Ｏｆｆ）クラッチ２１を介してブロワー５０へも伝達される。
【００２７】
コレクター昇降機構３００は、車体１００へ取付けられたモアー６０により刈取られた草を収容するコレクター７００の昇降操作を行う機構である。
【００２８】
コレクターダンプ機構５００は、コレクター７００のダンプ操作を行う、コレクター昇降リンク機構４００へ取付けられた機構である。
【００２９】
仕切部材１１は操縦部４０の後方に配置されたメッシュ状の部材であり、左側支柱部材２００Ｌおよび右側支柱部材２００Ｒは仕切部材１１の後方に配置されている。安全フレーム１２は、右側支柱部材２００Ｒの上端部と右側支柱部材２００Ｒの上端部とを連結する、Ｕ字形状のＲＯＰＳ（Ｒｏｌｌ  Ｏｖｅｒ  Ｐｒｏｔｅｃｔｉｏｎ  Ｓｔｒｕｃｔｕｒｅ）フレームである。
【００３０】
コレクター本体７１０は、開閉されるコレクタードア７１１を有する、刈取られた草を収容するための樹脂部材である。
【００３１】
草は、雑草であってもよいし、芝草であってもよいし、牧草であってもよい。
【００３２】
つぎに、図３〜５を主として参照しながら、本実施の形態の乗用草刈り機の構成および動作についてより具体的に説明する。
【００３３】
ここに、図３は本発明における実施の形態の乗用草刈り機のコレクター昇降リンク機構４００およびコレクターダンプリンク機構６００近傍の部分斜視図であり、図４は本発明における実施の形態の乗用草刈り機のコレクター底フレーム７２０近傍の部分斜視図であり、図５は本発明における実施の形態の乗用草刈り機の支持台１１０近傍の部分斜視図である。
【００３４】
左側リンク支点部材２１０Ｌは左側支柱部材２００Ｌの上部へ取付けられており、左側昇降シリンダー支点部材２２０Ｌは左側支柱部材２００Ｌの下部へ取付けられている。左側ロウワーリンクアーム接続部材４２１Ｌは、左側ロウワーリンクアーム部材４２０Ｌへ取付けられている。
【００３５】
左側アッパーリンクアーム部材４１０Ｌの前端部は左側リンク支点部材２１０Ｌの上部へ回動可能に取付けられており、左側ロウワーリンクアーム部材４２０Ｌの前端部は左側リンク支点部材２１０Ｌの下部へ回動可能に取付けられている。
【００３６】
左側昇降シリンダー部材３１０Ｌの前端部は左側昇降シリンダー支点部材２２０Ｌへ回動可能に取付けられており、左側昇降シリンダー部材３１０Ｌの後端部は左側ロウワーリンクアーム接続部材４２１Ｌへ回動可能に取付けられている。
【００３７】
右側リンク支点部材２１０Ｒは右側支柱部材２００Ｒの上部へ取付けられており、右側昇降シリンダー支点部材２２０Ｒは右側支柱部材２００Ｒの下部へ取付けられている。右側ロウワーリンクアーム接続部材４２１Ｒは、右側ロウワーリンクアーム部材４２０Ｒへ取付けられている。
【００３８】
右側アッパーリンクアーム部材４１０Ｒの前端部は右側リンク支点部材２１０Ｒの上部へ回動可能に取付けられており、右側ロウワーリンクアーム部材４２０Ｒの前端部は右側リンク支点部材２１０Ｒの下部へ回動可能に取付けられている。
【００３９】
右側昇降シリンダー部材３１０Ｒの前端部は右側昇降シリンダー支点部材２２０Ｒへ回動可能に取付けられており、右側昇降シリンダー部材３１０Ｒの後端部は右側ロウワーリンクアーム接続部材４２１Ｒへ回動可能に取付けられている。
【００４０】
左側リンクフレーム支点部材４３２Ｌは左側リンクフレーム接続部材４３３Ｌを介してリンクフレーム本体４３１の左前端部へ取付けられており、右側リンクフレーム支点部材４３２Ｒは右側リンクフレーム接続部材４３３Ｒを介してリンクフレーム本体４３１の右前端部へ取付けられている。
【００４１】
左側アッパーリンクアーム部材４１０Ｌの後端部は左側リンクフレーム支点部材４３２Ｌの上部へ回動可能に取付けられており、左側ロウワーリンクアーム部材４２０Ｌの後端部は左側リンクフレーム支点部材４３２Ｌの下部へ回動可能に取付けられている。
【００４２】
右側アッパーリンクアーム部材４１０Ｒの後端部は右側リンクフレーム支点部材４３２Ｒの上部へ回動可能に取付けられており、右側ロウワーリンクアーム部材４２０Ｒの後端部は右側リンクフレーム支点部材４３２Ｒの下部へ回動可能に取付けられている。
【００４３】
左側ダンプリンク支点部材４３４Ｌはリンクフレーム本体４３１の左後部へ取付けられており、右側ダンプリンク支点部材４３４Ｒはリンクフレーム本体４３１の右後部へ取付けられている。
【００４４】
左側コレクター底フレーム接続部材７２１Ｌはコレクター底フレーム７２０の左後部へ取付けられており、右側コレクター底フレーム接続部材７２１Ｒはコレクター底フレーム７２０の右後部へ取付けられている。
【００４５】
左側ダンプリンクアーム部材６１０Ｌの前部は左側コレクター底フレーム接続部材７２１Ｌの左側部へ取付けられており、左側ダンプリンクアーム部材６１０Ｌの後端部は左側ダンプリンク支点部材４３４Ｌへ回動可能に取付けられている。
【００４６】
右側ダンプリンクアーム部材６１０Ｒの前部は右側コレクター底フレーム接続部材７２１Ｒの右側部へ取付けられており、右側ダンプリンクアーム部材６１０Ｒの後端部は右側ダンプリンク支点部材４３４Ｒへ回動可能に取付けられている。
【００４７】
左側ダンプリンクアーム部材接続部材６１１Ｌは左側ダンプリンクアーム部材６１０Ｌの左側部へ取付けられており、右側ダンプリンクアーム部材接続部材６１１Ｒは右側ダンプリンクアーム部材６１０Ｒの右側部へ取付けられている。
【００４８】
左側ダンプシリンダー部材５１０Ｌの前端部は左側リンクフレーム支点部材４３２Ｌの右側部へ回動可能に取付けられており、左側ダンプシリンダー部材５１０Ｌの後端部は左側ダンプリンクアーム部材接続部材６１１Ｌへ回動可能に取付けられている。
【００４９】
右側ダンプシリンダー部材５１０Ｒの前端部は右側リンクフレーム支点部材４３２Ｒの左側部へ回動可能に取付けられており、右側ダンプシリンダー部材５１０Ｒの後端部は右側ダンプリンクアーム部材接続部材６１１Ｒへ回動可能に取付けられている。
【００５０】
コレクター昇降リンク機構４００のリンクフレーム４３０には、左側リンクフレーム当接部材４５０Ｌ、および右側リンクフレーム当接部材４５０Ｒが車体１００の左右方向に関して一対で設けられている。車体１００の支持台１１０には、左側支持台受け部材１５０Ｌ、および右側支持台受け部材１５０Ｒが左右方向に関して一対で設けられている。
【００５１】
左側支持台受け部材１５０Ｌの受け面１５１Ｌ、および右側支持台受け部材１５０Ｒの受け面１５１Ｒは、傾斜している。
【００５２】
コレクター７００が昇降操作における最下位置にあるとき、左側リンクフレーム当接部材４５０Ｌの当接面４５１Ｌが左側支持台受け部材１５０Ｌの受け面１５１Ｌへ当接するように、左側リンクフレーム当接部材４５０Ｌ、および左側支持台受け部材１５０Ｌは配置されている。コレクター７００が昇降操作における最下位置にあるとき、右側リンクフレーム当接部材４５０Ｒの当接面４５１Ｒが右側支持台受け部材１５０Ｒの受け面１５１Ｒへ当接するように、右側リンクフレーム当接部材４５０Ｒ、および右側支持台受け部材１５０Ｒは配置されている。
【００５３】
コレクター７００のコレクター底フレーム７２０には、左側コレクター底フレーム当接部材７５０Ｌ、および右側コレクター底フレーム当接部材７５０Ｒが左右方向に関して一対で設けられている。コレクター昇降リンク機構４００のリンクフレーム４３０には、左側リンクフレーム受け部材４６０Ｌ、および右側リンクフレーム受け部材４６０Ｒが左右方向に関して一対で設けられている。
【００５４】
左側リンクフレーム受け部材４６０Ｌの受け面４６１Ｌ、および右側リンクフレーム受け部材４６０Ｒの受け面４６１Ｒは、傾斜している。
【００５５】
コレクター７００がダンプ操作における最下位置にあるとき、左側コレクター底フレーム当接部材７５０Ｌの当接面７５１Ｌが左側リンクフレーム受け部材４６０Ｌの受け面４６１Ｌへ当接するように、左側コレクター底フレーム当接部材７５０Ｌ、および左側リンクフレーム受け部材４６０Ｌは配置されている。コレクター７００がダンプ操作における最下位置にあるとき、右側コレクター底フレーム当接部材７５０Ｒの当接面７５１Ｒが右側リンクフレーム受け部材４６０Ｒの受け面４６１Ｒへ当接するように、右側コレクター底フレーム当接部材７５０Ｒ、および右側リンクフレーム受け部材４６０Ｒは配置されている。
【００５６】
左側リンクフレーム支点部材４３２Ｌおよび右側リンクフレーム支点部材４３２Ｒの断面形状はＵ字形状であり、左側ダンプシリンダー部材５１０Ｌおよび右側ダンプシリンダー部材５１０ＲはＵ字形状を左右方向に関して貫通する左側ダンプシリンダー支点ピン５１１Ｌおよび右側ダンプシリンダー支点ピン５１１Ｒをそれぞれ利用してしっかりと取付けられている。
【００５７】
左側支持台受け部材１５０Ｌおよび右側支持台受け部材１５０Ｒは本発明における受け部材の一例であり、左側リンクフレーム当接部材４５０Ｌおよび右側リンクフレーム当接部材４５０Ｒは本発明における当接部材の一例である。
【００５８】
つぎに、図３〜７を主として参照しながら、本実施の形態の乗用草刈り機の構成および動作についてもっとより具体的に説明する。
【００５９】
ここに、図６は本発明における実施の形態の乗用草刈り機のコレクター７００近傍の部分斜視図（その一）であり、図７は本発明における実施の形態の乗用草刈り機の干渉防止切欠き６１２Ｌ近傍の拡大部分斜視図である。
【００６０】
図７における視線ベクトルは、図６における視線ベクトルと一致している。
【００６１】
コレクターダンプリンク機構６００は、刈取られた草を内部へ収容するコレクター本体７１０を有するコレクター７００をコレクター昇降リンク機構４００へダンプ操作可能に取付ける機構である。
【００６２】
コレクターダンプ機構５００は、コレクター７００のダンプ操作を行う機構である。
【００６３】
コレクターダンプリンク機構６００は、後端部がコレクター昇降リンク機構４００へ回動可能に取付けられている左側ダンプリンクアーム部材６１０Ｌと、後端部がコレクター昇降リンク機構４００へ回動可能に取付けられている右側ダンプリンクアーム部材６１０Ｒと、を有する。
【００６４】
本実施の形態においては、左側ダンプリンクアーム部材６１０Ｌの後端部は左側ダンプリンク支点部材４３４Ｌを利用してコレクター昇降リンク機構４００へ取付けられていると言え、右側ダンプリンクアーム部材６１０Ｒの後端部は右側ダンプリンク支点部材４３４Ｒを利用してコレクター昇降リンク機構４００へ取付けられていると言える。
【００６５】
コレクターダンプ機構５００は、前端部がコレクター昇降リンク機構４００へ取付けられている左側ダンプシリンダー部材５１０Ｌと、前端部がコレクター昇降リンク機構４００へ取付けられている右側ダンプシリンダー部材５１０Ｒと、を有する。
【００６６】
本実施の形態においては、左側ダンプシリンダー部材５１０Ｌの前端部は左側リンクフレーム支点部材４３２Ｌを利用してコレクター昇降リンク機構４００へ取付けられていると言え、右側ダンプシリンダー部材５１０Ｒの前端部は右側リンクフレーム支点部材４３２Ｒを利用してコレクター昇降リンク機構４００へ取付けられていると言える。
【００６７】
左側ダンプリンクアーム部材６１０Ｌおよび右側ダンプリンクアーム部材６１０Ｒは、コレクター７００のコレクター底フレーム７２０へ、車体１００の左右方向に関して、外側から取付けられている。
【００６８】
左側ダンプリンクアーム部材６１０Ｌはコレクター底フレーム７２０の左側面部分７２２Ｌへ取付けられており、右側ダンプリンクアーム部材６１０Ｒはコレクター底フレーム７２０の右側面部分７２２Ｒへ取付けられている。
【００６９】
本実施の形態においては、左側ダンプリンクアーム部材６１０Ｌは左側コレクター底フレーム接続部材７２１Ｌを利用してコレクター底フレーム７２０の左側面部分７２２Ｌへ取付けられていると言え、右側ダンプリンクアーム部材６１０Ｒは右側コレクター底フレーム接続部材７２１Ｒを利用してコレクター底フレーム７２０の右側面部分７２２Ｒへ取付けられていると言える。
【００７０】
左側ダンプリンクアーム部材６１０Ｌおよび右側ダンプリンクアーム部材６１０Ｒを外側から取付けることができるので、組付け作業は容易である。
【００７１】
左側ダンプシリンダー部材５１０Ｌの後端部は左側ダンプリンクアーム部材６１０Ｌの左側へ取付けられており、右側ダンプシリンダー部材５１０Ｒの後端部は右側ダンプリンクアーム部材６１０Ｒの右側へ取付けられている。
【００７２】
本実施の形態においては、左側ダンプシリンダー部材５１０Ｌの後端部は左側ダンプリンクアーム部材接続部材６１１Ｌを利用して左側ダンプリンクアーム部材６１０Ｌの左側へ取付けられていると言え、右側ダンプシリンダー部材５１０Ｒの後端部は右側ダンプリンクアーム部材接続部材６１１Ｒを利用して右側ダンプリンクアーム部材６１０Ｒの右側へ取付けられていると言える。
【００７３】
左側ダンプシリンダー部材５１０Ｌの後端部および右側ダンプシリンダー部材５１０Ｒの後端部を外側から取付けることができるので、組付け作業は容易である。
【００７４】
左側ダンプリンクアーム部材６１０Ｌには、ダンプ操作が行われていない場合における左側ダンプシリンダー部材５１０Ｌとの干渉を防止するための干渉防止切欠き６１２Ｌが設けられている。
【００７５】
このため、ダンプ操作が行われていない場合において、左側ダンプシリンダー部材５１０Ｌが干渉なしに左側ダンプリンクアーム部材６１０Ｌへ接近する、コンパクトなコレクター収納姿勢が実現される。
【００７６】
右側ダンプリンクアーム部材６１０Ｒには、ダンプ操作が行われていない場合における右側ダンプシリンダー部材５１０Ｒとの干渉を防止するための干渉防止切欠き６１２Ｒが設けられている。
【００７７】
このため、ダンプ操作が行われていない場合において、右側ダンプシリンダー部材５１０Ｒが干渉なしに右側ダンプリンクアーム部材６１０Ｒへ接近する、コンパクトなコレクター収納姿勢が実現される。
【００７８】
図８および９を主として参照しながら、左側リンクフレーム受け部材４６０Ｌおよび右側リンクフレーム受け部材４６０Ｒについてより具体的に説明するとつぎの通りである。
【００７９】
ここに、図８は本発明における実施の形態の乗用草刈り機のコレクター７００近傍の部分斜視図（その二）であり、図９は本発明における実施の形態の乗用草刈り機の左側リンクフレーム受け部材４６０Ｌ近傍の拡大部分斜視図である。
【００８０】
図９における視線ベクトルは、図８における視線ベクトルと一致している。
【００８１】
右側リンクフレーム受け部材４６０Ｒの構成は左側リンクフレーム受け部材４６０Ｌの構成と類似しているので、主として左側リンクフレーム受け部材４６０Ｌについて説明する。
【００８２】
左側リンクフレーム受け部材４６０Ｌは、２個の脚部分４６０Ｌａを有し、片脚支持構造より安定である両脚支持構造を利用して、左側リンクフレーム支点部材４３２Ｌの右面へ取付けられている。したがって、左側コレクター底フレーム当接部材７５０Ｌの当接面７５１Ｌが左側リンクフレーム受け部材４６０Ｌの受け面４６１Ｌへ当接するとき、コレクター７００は両脚支持構造によりしっかりと支持される。このため、左側リンクフレーム受け部材４６０Ｌの形状は簡単なＵ字形状であるが、強度は十分に確保されている。
【００８３】
左側ダンプリンクアーム部材６１０Ｌのシリンダー接続点と左側ダンプリンク支点部材４３４Ｌのダンプリンク支点軸との間の距離はおよそ１７４．７９ミリメートルであって十分に確保されており、右側ダンプリンクアーム部材６１０Ｒのシリンダー接続点と右側ダンプリンク支点部材４３４Ｒのダンプリンク支点軸との間の距離もおよそ１７４．７９ミリメートルであって十分に確保されている。これは、左側ダンプリンク支点部材４３４Ｌはリンクフレーム本体４３１の角パイプ左後面へ取付けられており、右側ダンプリンク支点部材４３４Ｒはリンクフレーム本体４３１の角パイプ右後面へ取付けられているからである。したがって、およそ１．６であったいわゆる安全率はリンク比の改善にともなっておよそ２．０になるので、モーメントは増大し、左側ダンプシリンダー部材５１０Ｌおよび右側ダンプシリンダー部材５１０Ｒのダンプ推力は向上される。
【００８４】
図１０〜１３を主として参照しながら、左側ダンプリンク支点部材４３４Ｌおよび右側ダンプリンク支点部材４３４Ｒについてより具体的に説明するとつぎの通りである。
【００８５】
ここに、図１０および１１は本発明における実施の形態の乗用草刈り機のコレクター７００近傍の部分斜視図（その三および四）であり、図１２および１３は本発明における実施の形態の乗用草刈り機の左側ダンプリンク支点部材４３４Ｌ近傍の拡大部分斜視図（その一および二）である。
【００８６】
図１２における視線ベクトルは図１０における視線ベクトルと一致しており、図１３における視線ベクトルは図１１における視線ベクトルと一致している。
【００８７】
右側ダンプリンク支点部材４３４Ｒの構成は左側ダンプリンク支点部材４３４Ｌの構成と類似しているので、主として左側ダンプリンク支点部材４３４Ｌについて説明する。
【００８８】
左側ダンプリンク支点部材４３４Ｌは、リンクフレーム本体４３１の角パイプ上面および角パイプ下面へ溶接された左側部分４３４Ｌａと、リンクフレーム本体４３１の角パイプ上面へ溶接された右側部分４３４Ｌｂと、を有する。右側部分４３４Ｌｂは左側部分４３４Ｌａへ溶接されていてもされていなくてもよいが、溶接がしばしば容易ではないリンクフレーム本体４３１の角パイプ垂直面がコーナーを形成するように曲げられているか否かにかかわらず、左側部分４３４Ｌａも右側部分４３４Ｌｂもリンクフレーム本体４３１の角パイプ垂直面へ溶接されておらず、隙間が左側ダンプリンク支点部材４３４Ｌとリンクフレーム本体４３１の角パイプ垂直面との間に形成されている。したがって、溶接は短時間で容易に完了するので、左側ダンプリンク支点部材４３４Ｌの溶接にともなうリンクフレーム本体４３１の全体的な溶接歪みなどはほとんど全く発生しない。
【００８９】
コレクター昇降リンク機構４００は、リンクフレーム４３０と、左側アッパーリンクアーム部材４１０Ｌおよび左側ロウワーリンクアーム部材４２０Ｌ、ならびに右側アッパーリンクアーム部材４１０Ｒおよび右側ロウワーリンクアーム部材４２０Ｒと、左側リンクフレーム支点部材４３２Ｌと、右側リンクフレーム支点部材４３２Ｒと、を有する。
【００９０】
リンクフレーム４３０は、左側ダンプリンクアーム部材６１０Ｌの後端部、および右側ダンプリンクアーム部材６１０Ｒの後端部が回動可能に取付けられているフレームである。
【００９１】
左側リンクフレーム支点部材４３２Ｌは、左側アッパーリンクアーム部材４１０Ｌの後端部、および左側ロウワーリンクアーム部材４２０Ｌの後端部をリンクフレーム４３０の左端部へ取付ける部材である。
【００９２】
右側リンクフレーム支点部材４３２Ｒは、右側アッパーリンクアーム部材４１０Ｒの後端部、および右側ロウワーリンクアーム部材４２０Ｒの後端部をリンクフレーム４３０の右端部へ取付ける部材である。
【００９３】
左側リンクフレーム支点部材４３２Ｌの断面形状はＵ字形状であり、左側リンクフレーム支点部材４３２Ｌの端部にはＵ字形状の変形を防止するための左側変形防止プレート４３５Ｌが取付けられている。
【００９４】
右側リンクフレーム支点部材４３２Ｒの断面形状はＵ字形状であり、右側リンクフレーム支点部材４３２Ｒの端部にはＵ字形状の変形を防止するための右側変形防止プレート４３５Ｒが取付けられている。
【００９５】
図１４および１５を主として参照しながら、左側変形防止プレート４３５Ｌおよび右側変形防止プレート４３５Ｒについてより具体的に説明するとつぎの通りである。
【００９６】
ここに、図１４は本発明における実施の形態の乗用草刈り機のリンクフレーム４３０近傍の部分斜視図（その一）であり、図１５は本発明における実施の形態の乗用草刈り機の左側変形防止プレート４３５Ｌ近傍の拡大部分斜視図である。
【００９７】
図１５における視線ベクトルは、図１４における視線ベクトルと一致している。
【００９８】
右側変形防止プレート４３５Ｒの構成は左側変形防止プレート４３５Ｌの構成と類似しているので、主として左側変形防止プレート４３５Ｌについて説明する。
【００９９】
断面視においてＵ字形状である左側リンクフレーム支点部材４３２Ｌに対する溶接が行われても、左側ダンプシリンダー支点ピン５１１Ｌのみならず左側変形防止プレート４３５Ｌは溶接歪みに起因するＵ字形状の開きを抑制する。左側変形防止プレート４３５Ｌは、左側リンクフレーム支点部材４３２Ｌの開口端部へ溶接されているが、左側リンクフレーム支点部材４３２Ｌの上端部へボルトなどで取付けられていてもよい。したがって、しばしば容易ではない、溶接にともなう左側リンクフレーム支点部材４３２Ｌの熱変形の修正は、不要である。このため、左側リンクフレーム支点部材４３２Ｌの剛性が向上され、溶接歪みはほとんど全く発生しないので、組付け作業は容易化され、商品品質は安定化され、商品価値は向上される。
【０１００】
コレクター昇降リンク機構４００のリンクフレーム４３０には左側リンクフレーム当接部材４５０Ｌおよび右側リンクフレーム当接部材４５０Ｒが取付けられており、車体１００の支持台１１０には左側支持台受け部材１５０Ｌおよび右側支持台受け部材１５０Ｒが取付けられている。
【０１０１】
コレクター７００が昇降操作における最下位置にあるとき、左側リンクフレーム当接部材４５０Ｌの当接面４５１Ｌが左側支持台受け部材１５０Ｌの受け面１５１Ｌへ当接し、右側リンクフレーム当接部材４５０Ｒの当接面４５１Ｒが右側支持台受け部材１５０Ｒの受け面１５１Ｒへ当接するように、左側リンクフレーム当接部材４５０Ｌおよび右側リンクフレーム当接部材４５０Ｒ、ならびに左側支持台受け部材１５０Ｌおよび右側支持台受け部材１５０Ｒは配置されている。
【０１０２】
リンクフレーム４３０には、ダンプ操作を行うための油圧ホース８００を配索する複数のガイド部材８１１が取付けられている。
【０１０３】
ガイド部材８１１は、左側リンクフレーム当接部材４５０Ｌおよび右側リンクフレーム当接部材４５０Ｒの少なくとも両側に配置されている。
【０１０４】
図１６〜１９を主として参照しながら、ガイド部材８１１についてより具体的に説明するとつぎの通りである。
【０１０５】
ここに、図１６および１７は本発明における実施の形態の乗用草刈り機のリンクフレーム４３０近傍の部分斜視図（その二および三）であり、図１８は本発明における実施の形態の乗用草刈り機のガイド部材８１１近傍の拡大部分斜視図であり、図１９は本発明における実施の形態の乗用草刈り機の右側支柱部材２００Ｒ近傍の部分斜視図である。
【０１０６】
図１８における視線ベクトルは、図１７における視線ベクトルと一致している。
【０１０７】
油圧ホース８００のバルブは、右側支柱部材２００Ｒの基部に設けられている。油圧ホース８００は、右側支柱部材２００Ｒの後面に配置された２個のガイド部材８１１を通って上方へ配索され、右側アッパーリンクアーム部材４１０Ｒの下面に配置された筒状の部材を通って下方へ進み、右側ダンプシリンダー部材５１０Ｒへ至る。さらに延長される、部分的に袖状の部材に収納された油圧ホース８００は、リンクフレーム本体４３１の前面に配置された６個のガイド部材８１１を通って左方へ配索され、左側ダンプシリンダー部材５１０Ｌへ至る。
【０１０８】
左側リンクフレーム当接部材４５０Ｌの左側に配置されたガイド部材８１１と左側リンクフレーム当接部材４５０Ｌの右側に配置されたガイド部材８１１との間の油圧ホース８００の部分は、左側リンクフレーム当接部材４５０Ｌの上方に存在する。したがって、コレクター７００が昇降操作における最下位置にあるときにも、油圧ホース８００は左側リンクフレーム当接部材４５０Ｌおよび左側支持台受け部材１５０Ｌにより挟込まれない。
【０１０９】
右側リンクフレーム当接部材４５０Ｒの左側に配置されたガイド部材８１１と右側リンクフレーム当接部材４５０Ｒの右側に配置されたガイド部材８１１との間の油圧ホース８００の部分は、右側リンクフレーム当接部材４５０Ｒの上方に存在する。したがって、コレクター７００が昇降操作における最下位置にあるときにも、油圧ホース８００は右側リンクフレーム当接部材４５０Ｒおよび右側支持台受け部材１５０Ｒにより挟込まれない。
【０１１０】
このように、油圧ホース８００は、リンクフレーム本体４３１および車体１００の支持台１１０により挟込まれない。
【０１１１】
左側リンクフレーム当接部材４５０Ｌの右側に配置されたガイド部材８１１と右側リンクフレーム当接部材４５０Ｒの左側に配置されたガイド部材８１１との間の油圧ホース８００の部分は、自動コレクタードアロック解除機構のベース部材２２００の下方に存在する。したがって、コレクター７００がダンプ操作における最下位置にあるときにも、油圧ホース８００はコレクター７００のコレクター底フレーム７２０およびリンクフレーム本体４３１により挟込まれない。
【０１１２】
なお、左側リンクフレーム当接部材４５０Ｌの右側に配置されたガイド部材８１１、および右側リンクフレーム当接部材４５０Ｒの左側に配置されたガイド部材８１１は、１個のガイド部材８１１により置換されてもよい。
【０１１３】
ガイド部材８１１は自動丸棒加工機を利用して安価に製作することができ、ガイド部材８１１を製作するための型の費用は不要である。
【０１１４】
油圧ホース８００がワイヤーバンドで角パイプフレームへ固定される場合に比べて、ガイド部材８１１による配索は安定であり美的である。したがって、組付け作業は容易化され、商品品質は安定化され、商品価値は向上される。
【産業上の利用可能性】
【０１１５】
本発明における乗用草刈り機は、コレクターに関する組付け作業を容易化することができ、たとえば、草刈り作業を行うための乗用草刈り機に利用する目的に有用である。
【符号の説明】
【０１１６】
１１  仕切部材
１２  安全フレーム
１３  ボンネット
２０  エンジン
２１  ＰＴＯクラッチ
３１Ｌ  左側前輪
３１Ｒ  右側前輪
３２Ｌ  左側後輪
３２Ｒ  右側後輪
４０  操縦部
４１  ステアリングハンドル
４２  シート
４３  シートベルト
５０  ブロワー
５１  刈り草搬送シュート
５２  シューター
６０  モアー
６１  モアーデッキ
１００  車体
１１０  支持台
１５０Ｌ  左側支持台受け部材
１５０Ｒ  右側支持台受け部材
１５１Ｌ  受け面
１５１Ｒ  受け面
２００Ｌ  左側支柱部材
２００Ｒ  右側支柱部材
２１０Ｌ  左側リンク支点部材
２１０Ｒ  右側リンク支点部材
２２０Ｌ  左側昇降シリンダー支点部材
２２０Ｒ  右側昇降シリンダー支点部材
３００  コレクター昇降機構
３１０Ｌ  左側昇降シリンダー部材
３１０Ｒ  右側昇降シリンダー部材
４００  コレクター昇降リンク機構
４１０Ｌ  左側アッパーリンクアーム部材
４１０Ｒ  右側アッパーリンクアーム部材
４２０Ｌ  左側ロウワーリンクアーム部材
４２０Ｒ  右側ロウワーリンクアーム部材
４２１Ｌ  左側ロウワーリンクアーム接続部材
４２１Ｒ  右側ロウワーリンクアーム接続部材
４３０  リンクフレーム
４３１  リンクフレーム本体
４３２Ｌ  左側リンクフレーム支点部材
４３２Ｒ  右側リンクフレーム支点部材
４３３Ｌ  左側リンクフレーム接続部材
４３３Ｒ  右側リンクフレーム接続部材
４３４Ｌ  左側ダンプリンク支点部材
４３４Ｌａ  左側部分
４３４Ｌｂ  右側部分
４３４Ｒ  右側ダンプリンク支点部材
４３５Ｌ  左側変形防止プレート
４３５Ｒ  右側変形防止プレート
４５０Ｌ  左側リンクフレーム当接部材
４５０Ｒ  右側リンクフレーム当接部材
４５１Ｌ  当接面
４５１Ｒ  当接面
４６０Ｌ  左側リンクフレーム受け部材
４６０Ｌａ  脚部分
４６０Ｒ  右側リンクフレーム受け部材
４６１Ｌ  受け面
４６１Ｒ  受け面
５００  コレクターダンプ機構
５１０Ｌ  左側ダンプシリンダー部材
５１０Ｒ  右側ダンプシリンダー部材
５１１Ｌ  左側ダンプシリンダー支点ピン
５１１Ｒ  右側ダンプシリンダー支点ピン
６００  コレクターダンプリンク機構
６１０Ｌ  左側ダンプリンクアーム部材
６１０Ｒ  右側ダンプリンクアーム部材
６１１Ｌ  左側ダンプリンクアーム部材接続部材
６１１Ｒ  右側ダンプリンクアーム部材接続部材
６１２Ｌ  干渉防止切欠き
６１２Ｒ  干渉防止切欠き
７００  コレクター
７１０  コレクター本体
７１１  コレクタードア
７２０  コレクター底フレーム
７２１Ｌ  左側コレクター底フレーム接続部材
７２１Ｒ  右側コレクター底フレーム接続部材
７２２Ｌ  左側面部分
７２２Ｒ  右側面部分
７５０Ｌ  左側コレクター底フレーム当接部材
７５０Ｒ  右側コレクター底フレーム当接部材
７５１Ｌ  当接面
７５１Ｒ  当接面
８００  油圧ホース
８１１  ガイド部材
２２００  ベース部材
【図１】
2019097450.tif 000003
【図２】
2019097450.tif 000004
【図３】
2019097450.tif 000005
【図４】
2019097450.tif 000006
【図５】
2019097450.tif 000007
【図６】
2019097450.tif 000008
【図７】
2019097450.tif 000009
【図８】
2019097450.tif 000010
【図９】
2019097450.tif 000011
【図１０】
2019097450.tif 000012
【図１１】
2019097450.tif 000013
【図１２】
2019097450.tif 000014
【図１３】
2019097450.tif 000015
【図１４】
2019097450.tif 000016
【図１５】
2019097450.tif 000017
【図１６】
2019097450.tif 000018
【図１７】
2019097450.tif 000019
【図１８】
2019097450.tif 000020
【図１９】
2019097450.tif 000021